(57)【要約】【課題】本発明は、設置自由度が高く、部屋のレイアウトに合わせた遮蔽空間を形成することができる送風装置を提供する。【解決手段】放電極と対向極との間に電位差を設けることでイオン風を形成する送風装置であって、前記放電極が可撓性を有することを特徴とする送風装置が提供される。【選択図】図１
2009074766.tif 000002
【特許請求の範囲】
【請求項１】
放電極と対向極との間に電位差を設けることでイオン風を形成する送風装置であって、
前記放電極が可撓性を有することを特徴とする送風装置。
【請求項２】
さらに前記対向極が、可撓性を有することを特徴とする請求項１記載の送風装置。
【請求項３】
前記放電極を支持する支持手段と前記対向極を支持する支持手段とが、連結部材によって連結されることにより、前記放電極と前記対向極との位置関係が一義的に決められることを特徴とする請求項２記載の送風装置。
【請求項４】
前記放電極を支持する支持手段と前記対向極を支持する支持手段とが、角度調整部を有し、前記放電極の屈曲の角度と前記対向極の屈曲の角度が、それぞれ調整可能とされたことを特徴とする請求項２または３に記載の送風装置。
【請求項５】
複数の送風装置ユニットを連結してなる送風装置であって、
前記複数の送風装置ユニットのそれぞれに設けられた前記放電極同士および前記対向極同士が連結されてなることを特徴とする請求項１〜４のいずれか１つに記載の送風装置。
【発明の詳細な説明】
【技術分野】
【０００１】
本発明は、イオン風を送風することで空間を遮蔽することができる送風装置に関する。
【背景技術】
【０００２】
例えば、住空間において、キッチン空間で発生した臭いやガスが、隣接するリビング空間などに流れ込むとリビング空間における快適性が阻害される。また、キッチン空間で発生した水蒸気や油煙が、隣接するリビング空間などに流れ込むとリビング空間などの壁面やリビング空間などに置かれた物品が汚損する。
【０００３】
そのため、隔離壁を構築して空間を遮蔽する技術が提案されている（特許文献１を参照）。  
しかしながら、特許文献１に開示されている技術のように隔離壁で空間を遮蔽すると、遮蔽された空間への出入りが不便となり作業性が大幅に損なわれる。また、外観上の開放感も損なわれることになる。
【０００４】
そこで、イオン風を用いて空間を遮蔽する技術が提案されている（特許文献２、３を参照）。  
しかしながら、特許文献２に開示されている技術では、形成されるイオン風の幕に隙間ができてしまうため遮蔽性に課題を有していた。  
また、特許文献３に開示されている技術では、イオン風を送風する装置を床から立設させているため、人の動線が妨げられ作業性が損なわれるおそれがあった。  
さらに、イオン風を用いて空間を遮蔽する場合においては、部屋のレイアウトに合わせて送風装置を設置する必要があるが、その設置自由度が低いという課題を有していた。
【特許文献１】特開２０００−３２０８６９号公報
【特許文献２】特開２００２−９５９９８号公報
【特許文献３】特開２００７−５７１３５号公報
【発明の開示】
【発明が解決しようとする課題】
【０００５】
本発明は、設置自由度が高く、部屋のレイアウトに合わせた遮蔽空間を形成することができる送風装置を提供する。
【課題を解決するための手段】
【０００６】
本発明の一態様によれば、放電極と対向極との間に電位差を設けることでイオン風を形成する送風装置であって、前記放電極が可撓性を有することを特徴とする送風装置が提供される。
【発明の効果】
【０００７】
本発明によれば、設置自由度が高く、部屋のレイアウトに合わせた遮蔽空間を形成することができる送風装置が提供される。
【発明を実施するための最良の形態】
【０００８】
以下、本発明の実施の形態について図面を参照しつつ説明する。なお、各図面中、同様の構成要素には同一の符号を付して詳細な説明は適宜省略する。
【０００９】
図１は本発明の実施の形態に係る送風装置を説明するための模式図である。  
また、図２は、放電極を屈曲させた時の屈曲部付近の拡大図である。  
送風装置３１においては、放電極２３ａと対向極３１ａ、３１ｂとが設けられている。放電極２３ａは可撓性を有する材料からなり、屈曲可能となっている。放電極２３ａは、例えば金属製の板状部材とすることができ、具体的には板厚が例えば０．０５ｍｍ〜０．２ｍｍ程度のステンレスを用いることができる。その長手方向には対向極３１ａ、３１ｂの側に向けて突出するように先端が鋭角の突起が所定の間隔で複数設けられている。尚、先端が鋭角の突起は、針状形状とすることもできる。このように、先端を尖らせることにより後述する電子の発生場所を突起の先端に限定させることができる。また、突起の先端から放出される電子がさらに集束されるので、放出される電子が広がることなく真っ直ぐに飛び出しイオン風の直進性を高めることができる。
【００１０】
対向極３１ａ、３１ｂは、放電極２３ａと同様に可撓性を有する材料からなり、屈曲可能となっている。対向極３１ａ、３１ｂは、例えば金属製の平板状部材とすることができ、具体的には板厚が例えば０．０５ｍｍ〜０．２ｍｍ程度のステンレスを用いることができる。その長手方向を放電極２３ａの長手方向とほぼ平行となるようにして支持されている。
【００１１】
ここで、キッチン空間などで発生した水蒸気や油煙などを遮断するような用途を考慮すれば、放電極２３ａと、対向極３１ａ、３１ｂとはステンレスからなるものとすることが好ましい。  
また、放電極２３ａと、対向極３１ａ、３１ｂとを導電性の保護膜でコーティング（例えば、導電性フッ素樹脂コーティングなど）したり、耐食性の高い金属でメッキしたり、酸化チタン等の導電性を有する光触媒をコーティングしたりすることもできる。このような導電性のコーティングやメッキなどであれば、後述する、両電極間に電位差を設けることにより発生するコロナ放電を妨げることなく放電極２３ａと、対向極３１ａ、３１ｂとの耐食性や防汚性を高めることができる。その結果、水蒸気や油煙などが発生するような環境であっても長期間にわたる運転が可能となる。
【００１２】
次に、放電極２３ａ、対向極３１ａ、３１ｂの可撓性についての説明をする前に、イオン風の発生原理について説明する。  
図３は、イオン風の発生原理を説明するための模式斜視図である。  
図３に表したように、放電極２ａ、２ｂには直流電源１０のマイナス側が接続され、マイナスの電圧が印加されている。そして、直流電源１０のプラス側と対向極３ａ、３ｂとは接地されている。尚、直流電源１０のプラス側が放電極２ａ、２ｂと接続され、直流電源１０のマイナス側と対向極３ａ、３ｂとが接地されるようにすることもできる。また、放電極２ａ、２ｂと、対向極３ａ、３ｂと、の間に電位差が存在すればよいので、必ずしも一方が設置していなくてもよい。
【００１３】
直流電源１０により放電極２ａ、２ｂに、例えば−２０ＫＶ程度の電圧が印加されると、放電極２ａ、２ｂと対向極３ａ、３ｂとの間に電位差が生じ、先端が鋭角な突起の先端部付近の電界強度が局部的に高くなり放電極２ａ、２ｂと対向極３ａ、３ｂとの間にコロナ放電が発生する。そして、このコロナ放電により生成された電子は放電極２ａ、２ｂと対向極３ａ、３ｂとの間に形成された電界により図中下方に向けて引き出される。
【００１４】
図３に表したように、引き出された電子が、気体分子（例えば、水蒸気（Ｈ２Ｏ）や酸素（Ｏ２）など）に付着すると、気体分子はマイナス電荷を帯びるイオンとなる。イオンの一部は対向極３ａ、３ｂに引き込まれるが、対向極３ａ、３ｂの対向方向の中心付近は等電位となるので、残りのイオンは中央部付近を通り抜けるようにして図中下方の空間に向けて放出されることになる。このように、前述した電界の作用により、イオンの一部は、図中下方の空間に向けて放出されることになる。その結果、下方への気体分子の流れ、すなわち、イオン風などと呼ばれる空気の流れが生じることになる。
【００１５】
次に、図１および図２に戻って、放電極２３ａ、対向極３１ａ、３１ｂの可撓性についての説明をする。  
図２に表したように、放電極２３ａは可撓性を有する材料からなるため、支持手段６０ｃによって略直角方向に屈曲されている。また、対向極３１ａ、３１ｂは、放電極２３ａと同様に可撓性を有する材料からなるため、支持手段６０ａ、６０ｂによって、略直角方向に屈曲されている。
【００１６】
支持手段６０ｃは円柱状を呈し、その外周面には互いに略直角となるような向きに溝６３ｃが設けられている。そして、支持手段６０ｃにおいては、放電極２３ａが嵌合可能とされている。支持手段６０ｃの材質等は、特に限定されるわけではないが、例えば電気絶縁性材料からなるものとすることができる。放電極２３ａと同様にして、対向極３１ａ、３２ｂは、支持手段６０ａ、６０ｂに設けられた溝によって、略直角方向に方向転換されている。支持手段６０ａ、６０ｂにおいては、対向極３１ａ、３１ｂが嵌合可能とされている。
【００１７】
この場合、支持手段６０ａ、６０ｂ、６０ｃの溝に放電極２３ａ、および対向極３１ａ、３１ｂ、をそれぞれ挿入するだけで、略直角方向に方向が変換された設置を行うことができる。その結果、送風装置の配置自由度が高くなり、部屋のレイアウトに合わせた遮蔽空間を形成することが可能となる。さらに、送風装置の施工が容易となり、また、施工の作業効率をも向上させることができる。尚、支持手段の溝に脱離防止のための図示しないロック機構などを設けるようにすることもできる。また、支持手段の溝と対向極、放電極との嵌め合い寸法は、設置環境や施工の容易さなどを考慮して適宜選択することができる。
【００１８】
また、放電極２３ａおよび対向極３１ａ、３１ｂは、可撓性を有する一体の電極と見なすことができる。そのため、一体的なイオン風の幕を形成させることができるので、形成されるイオン風の幕に隙間が生じることがない。さらに、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００１９】
尚、説明の便宜上、放電極および対向極を略直角方向に屈曲させる場合を説明したが、本発明はこれに限定されるわけではなく、屈曲角度は遮蔽する空間の形状や設置環境などに応じて適宜変更することができる。
【００２０】
以上説明したように、本実施の形態においては、放電極および対向極は、可撓性を有する一体の電極と見なすことができる。そのため、送風装置の配置自由度が高くなり、部屋のレイアウトに合わせた遮蔽空間を形成することが可能となる。さらに、送風装置の施工が容易となり、また、施工の作業効率をも向上させることができる。  
また、一体的なイオン風の幕を形成させることができるので、形成されるイオン風の幕に隙間が生じることがない。電源が１台で足りることになるため、送風装置全体の軽量化を図ることができ、電源４５ａ（図２１参照）を接続するコンセントやケーブルなどの余計な工事を不要とすることも可能となる。
【００２１】
次に、本発明の他の実施の形態について説明する。  
図４は、他の実施の形態に係る送風装置を説明するための模式図である。  
図４に表したように、支持手段６０ａと支持手段６０ｃとは連結部材３８ａで連結され、支持手段６０ｂと支持手段６０ｃとは連結部材３８ｂで連結されている。そのため、支持手段６０ａ、６０ｂ、６０ｃが連結部材３８ａ、３８ｂを介して一体化され、剛性が高められるとともに、それぞれの相対的位置が一義的に決められるようになっている。
【００２２】
放電極２３ａおよび対向極３１ａ、３１ｂは、図１に表した送風装置と同様に、可撓性を有する材料からなり、屈曲可能となっている。支持手段６０ａ、６０ｂ、６０ｃは、図２に表した支持手段６０ｃと同様に、略直角となるような向きに溝が設けられている。この支持手段６０ａ、６０ｂ、６０ｃにおいては、放電極２３ａおよび対向極３１ａ、３１ｂが嵌合可能とされており、放電極２３ａおよび対向極３１ａ、３１ｂは、略直角方向に屈曲された状態で配置されている。
【００２３】
支持手段６０ａ、６０ｂ、６０ｃが連結部材３８ａ、３８ｂを介して一体化されることで、放電極２３ａと対向極３１ａ、３１ｂとの相対的位置が一義的に決まるため、施工が容易となり、施工の作業効率を向上させることができる。また、外力などが加わった場合においてもそれぞれの相対的な位置を維持することができるので、送風装置の安定した運転が可能となる。
【００２４】
図１に表した送風装置と同様に、支持手段６０ａ、６０ｂ、６０ｃの溝に放電極２３ａ、および対向極３１ａ、３１ｂ、をそれぞれ挿入するだけで、略直角方向に方向が変換された設置を行うことができる。その結果、送風装置の配置自由度が高くなり、部屋のレイアウトに合わせた遮蔽空間を形成することが可能となる。さらに、送風装置の施工が容易となり、また、施工の作業効率をも向上させることができる。尚、支持手段の溝に脱離防止のための図示しないロック機構などを設けるようにすることもできる。また、支持手段の溝と対向極、放電極との嵌め合い寸法は、設置環境や施工の容易さなどを考慮して適宜選択することができる。
【００２５】
また、放電極２３ａおよび対向極３１ａ、３１ｂは、可撓性を有する一体の電極と見なすことができる。そのため、一体的なイオン風の幕を形成させることができるので、形成されるイオン風の幕に隙間が生じることがない。さらに、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００２６】
尚、説明の便宜上、放電極および対向極を略直角方向に屈曲させる場合を説明したが、本発明はこれに限定されるわけではなく、屈曲角度は遮蔽する空間の形状や設置環境などに応じて適宜変更することができる。
【００２７】
以上説明したように、本実施形態においては、支持手段が連結部材を介して一体化されることで、放電極と対向極との相対的位置が一義的に決まるため、施工が容易となり、施工の作業効率を向上させることができる。  
また、放電極および対向極は、可撓性を有する一体の電極と見なすことができるため、送風装置の配置自由度が高くなり、部屋のレイアウトに合わせた遮蔽空間を形成することが可能となる。  
さらに、一体的なイオン風の幕を形成させることができるので、形成されるイオン風の幕に隙間が生じることがない。電源が１台で足りることになるため、送風装置全体の軽量化を図ることができ、電源４５ａ（図２１参照）を接続するコンセントやケーブルなどの余計な工事を不要とすることも可能となる。
【００２８】
次に、本発明の他の実施の形態について説明する。  
図５は、他の実施の形態に係る送風装置を説明するための模式図である。  
図５に表したように、送風装置３１の放電極２３ａは、支持手段３５ｃを通して略直角な方向に方向を変換しつつ配置されている。また、送風装置３１の対向極３１ａ、３１ｂは、支持手段３５ａ、３５ｂを通して略直角な方向に方向を変換しつつ配置されている。この時、放電極２３ａおよび対向極３１ａ、３１ｂは、図１に表した送風装置と同様に、可撓性を有する材料からなり、屈曲可能となっている。
【００２９】
支持手段３５ａ、３５ｂ、３５ｃは円柱状を呈し、その外周面には互いに略直角となるような方向に孔３６ａ、３６ｂ、３６ｃが設けられている。なお、本実施形態の送風装置は、図４に表した送風装置と同様に、連結部材３８ａ、３８ｂをさらに備え、支持手段３５ａと支持手段３５ｃとは連結部材３８ａで連結され、支持手段３５ｂと支持手段３５ｃとは連結部材３８ｂで連結されていてもよい。このようにすれば、支持手段３５ａ、３５ｂ、３５ｃが連結部材３８ａ、３８ｂを介して一体化され、剛性が高められるとともに、それぞれの相対的位置が一義的に決められるようになる。
【００３０】
そして、図６に表したように、支持手段３５ａは中空のパイプ状を呈し、その内部には角度調整部材３７が設けられている。角度調整部材３７は、一方の主面が支持手段３５ａの内壁と当接可能とされており、支持手段３５ａの内壁と当接する側の主面には対向極３１ａと嵌合可能な溝が設けられている。そして、角度調整部材３７の主面に設けられた溝は孔３６ａを介して支持手段３５ａの外部に露出している。また、角度調整部材３７の主面は、孔３６ａより大きいものとされているため、孔３６ａより角度調整部材３７が抜け出ることはない。
【００３１】
尚、支持手段３５ｂ、３５ｃの角度調整部については、支持手段３５ａの角度調整部と同様のため、その説明は省略する。
【００３２】
この場合、放電極２３ａおよび対向極３１ａ、３１ｂが、可撓性を有する材料からなるため、角度調整部材に設けられた溝に放電極２３ａおよび対向極３１ａ、３１ｂをそれぞれ挿入するだけで、略直角方向に方向が変換された連結を行うことができる。また、角度調整部材を支持手段の内壁に当接させつつ滑らせるようにして移動させることができるので、放電極２３ａおよび対向極３１ａ、３１ｂの方向を個別的に調整することができる。
【００３３】
その結果、送風装置の配置自由度が高くなり、部屋のレイアウトに合わせた遮蔽空間を形成することが可能となる。さらに、施工が容易となり、また、施工の作業効率をも向上させることができる。尚、角度調整部材の溝に脱離防止のための図示しないロック機構などを設けるようにすることもできる。また、角度調整部材の溝と対向極、放電極との嵌め合い寸法は、設置環境や施工の容易さなどを考慮して適宜選択することができる。
【００３４】
また、放電極２３ａおよび対向極３１ａ、３１ｂは、可撓性を有する一体の電極と見なすことができる。そのため、一体的なイオン風の幕を形成させることができるので、形成されるイオン風の幕に隙間が生じることがない。さらに、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００３５】
尚、説明の便宜上、放電極および対向極を略直角方向に屈曲させる場合を説明したが、本発明はこれに限定されるわけではなく、屈曲角度は遮蔽する空間の形状や設置環境などに応じて適宜変更することができる。
【００３６】
以上説明したように、本実施形態においては、角度調整部材を支持手段の内壁に当接させつつ滑らせるようにして移動させることができるので、放電極および対向極の方向を個別的に調整することができる。  
また、放電極および対向極は、可撓性を有する一体の電極と見なすことができるため、送風装置の配置自由度が高くなり、部屋のレイアウトに合わせた遮蔽空間を形成することが可能となる。  
さらに、一体的なイオン風の幕を形成させることができるので、形成されるイオン風の幕に隙間が生じることがない。電源が１台で足りることになるため、送風装置全体の軽量化を図ることができ、電源４５ａ（図２１参照）を接続するコンセントやケーブルなどの余計な工事を不要とすることも可能となる。
【００３７】
以上の説明においては、放電極および対向極が一体の電極となった送風装置を例に挙げて説明したが、本発明はこれに限定されるわけではない。複数の送風装置ユニットが連結されて、この送風装置ユニットに設けられた放電極同士および対向極同士が接続されていてもよい。以下、複数の送風装置ユニットが連結された送風装置の例を参照しつつ、本発明の他の実施形態について説明する。
【００３８】
図７は、送風装置ユニットの連結を説明するための模式図である。  
また、図８は、送風装置ユニットを上方から見たときの模式平面図である。  
図７に表したように、送風装置１は送風装置ユニット１ａ、１ｂを連結してなる。尚、説明の便宜上、２つの送風装置ユニット１ａ、１ｂを連結する場合を例示するが、本発明はこれに限定されるわけではなく、３つ以上の送風装置ユニットを連結してなるものとすることもできる。
【００３９】
送風装置ユニット１ａ、１ｂには、放電極２ａ、２ｂと、一対の対向極３ａ、３ｂとがそれぞれ設けられている。放電極２ａ、２ｂは、図１に表した送風装置と同様に、可撓性を有する材料からなり、屈曲可能となっている。放電極２ａ，２ｂは、例えば金属製の板状部材とすることができ、具体的には板厚が例えば０．０５ｍｍ〜０．２ｍｍ程度のステンレスを用いることができる。その長手方向には対向極３ａ、３ｂの側に向けて突出するように先端が鋭角の突起が所定の間隔で複数設けられている。尚、先端が鋭角の突起は、針状形状とすることもできる。このように、先端を尖らせることにより前述のように電子の発生場所を突起の先端に限定させることができる。また、突起の先端から放出される電子がさらに集束されるので、放出される電子が広がることなく真っ直ぐに飛び出しイオン風の直進性を高めることができる。
【００４０】
対向極３ａ、３ｂは、放電極２ａ、２ｂと同様に可撓性を有する材料からなり、屈曲可能となっている。対向極３ａ、３ｂは、例えば金属製の平板状部材とすることができ、具体的には板厚が例えば０．０５ｍｍ〜０．２ｍｍ程度のステンレスを用いることができる。その長手方向を放電極２ａ、２ｂの長手方向とほぼ平行となるようにして配設されている。
【００４１】
図８に表したように、一対の対向極３ａ、３ｂの対向方向の外側には樹脂等の電気絶縁性材料からなる一対のカバー部材４ａ、４ｂがそれぞれ設けられている。そして、樹脂等の電気絶縁性材料からなる連結部材９ａ、９ｂを介して放電極２ａ、２ｂがカバー部材４ａ、４ｂにそれぞれ取り付けられている。また、対向極３ａ、３ｂの対向方向の中心位置の上方に放電極２ａ、２ｂが設けられるようになっている。
【００４２】
そして、前述のように放電極２ａ、２ｂには直流電源１０が接続され、対向極３ａ、３ｂは接地されている（図３を参照）。
【００４３】
図７に表したように、カバー部材４ａ、４ｂには、接着剤などを用いて連結手段である固定部材５ａ、５ｂがそれぞれ固着されている。そして、ゴムなどからなる弾性部材６を介して固定部材５ａと固定部材５ｂとがボルト７、ナット８により固定されることで、送風装置ユニット１ａと送風装置ユニット１ｂとが連結される。
【００４４】
また、送風装置ユニット１ａと送風装置ユニット１ｂとの連結時には、放電極２ａ、２ｂの端面同士が当接するようになっている。そのため、放電極２ａ、２ｂ同士の電気的接続をすることができる。この場合、放電極２ａ、２ｂ同士は機械的には当接されているだけである。
【００４５】
また、送風装置ユニット１ａと送風装置ユニット１ｂとの連結時には、対向極３ａ、３ｂの端面同士が当接するようになっている。そのため、対向極３ａ、３ｂ同士も電気的に接続させることができる。この場合、対向極３ａ、３ｂ同士は機械的には当接されているだけである。
【００４６】
尚、放電極２ａ、２ｂには前述した直流電源１０が接続され、対向極３ａ、３ｂは接地される。この場合、放電極同士、対向極同士が電気的に接続されているので、直流電源１０との接続、接地のための接続は１箇所のみで足り、その接続箇所も送風装置１の設置環境などに合わせて適宜選択することができる。
【００４７】
図９は、送風装置ユニットの連結を説明するための模式分解図である。  
また、図１０は、連結時の放電極の端部付近を説明するための模式斜視図である。  
図９に表したように、送風装置１１は送風装置ユニット１ａ、１ｂ、１ｃを直線状に連結してなる。この場合、図７で説明をしたように送風装置ユニット１ａと送風装置ユニット１ｂとが連結され、送風ユニット装置１ａと送風装置ユニット１ｃとが同様にして連結される。
【００４８】
また、図１０に表したように、可撓性を有する材料からなる放電極２ａ、２ｂ、２ｃの両端部分をＬ字型に屈曲させているので、送風装置ユニット１ａ、１ｂ、１ｃの連結時には、放電極２ａ、２ｂ、２ｃの両端部分において屈曲面１２同士が当接するようになっている。そのため、放電極２ａ、２ｂ、２ｃ同士の電気的接続が図れるとともに、連結部分における電気抵抗の増加を抑制させることができる。また、屈曲面１２同士を当接させることで送風装置１１の直線性（送風装置ユニットの連結時の直線性）を向上させることができる。また、送風装置ユニット１ａ、１ｂ、１ｃの連結時には、対向極３ａ、３ｂ、３ｃの端面同士が当接するようになっている。そのため、対向極３ａ、３ｂ、３ｃ同士も電気的に接続させることができる。尚、放電極２ａ、２ｂ、２ｃには直流電源１０が接続され、対向極３ａ、３ｂ、３ｃは接地される。この場合、放電極同士、対向極同士が電気的に接続されているので、直流電源１０との接続、接地のための接続は１箇所のみで足り、その接続箇所も送風装置１１の設置環境などに合わせて適宜選択することができる。
【００４９】
また、送風装置ユニット１ａ、１ｂ、１ｃを同一の構成とすることもできるし、後述するように送風装置１１の設置環境などに合わせて長手方向長さの異なるものとすることもできる。さらに、放電極２ａ、２ｂ、２ｃ、および対向極３ａ、３ｂ、３ｃは、可撓性を有する材料からなることにより、例えば放電極２ａ、対向極３ａの長手方向の中間部分に支持手段６０ａ、６０ｂ、６０ｃを介在させて、放電極２ａ、対向極３ａを屈曲させることができる。こうすることにより、送風装置の配置自由度が高くなり、部屋のレイアウトに合わせた遮蔽空間を形成することが可能となる。さらに、施工が容易となり、また、施工の作業効率をも向上させることができる。
【００５０】
以上説明したように、本実施の形態においては、送風装置ユニットの端面同士を当接させるようにして連結するようにしている。特に、放電極の端部同士、対向極の端部同士を当接させるようにして電気的に接続させているため、連結された放電極、対向極をそれぞれ一体の電極と見なすことができる。そのため、一体的なイオン風の幕を形成させることができるので、形成されるイオン風の幕に隙間が生じることがない。さらに、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００５１】
ここで、形成されるイオン風の幕に隙間が存在する場合について説明をする。  
図１１は、イオン風の幕に隙間が存在する場合を説明するための模式図である。  
また、図１２は、一体的なイオン風の幕が形成される場合を説明するための模式図である。  
図１１に表したイオン風の幕においては、特許文献２に開示された技術のように、送風装置ユニット１ｄを離隔して設置させるものとしている。  
そのため、送風装置ユニット１ｄ間にイオン風が形成されない部分が生じ、イオン風の幕１３に隙間１３ａが存在することになる。そして、隙間１３ａが存在することで遮断できない部分が存在するだけでなく風速分布が不均一となり、渦１３ｂが発生する。その結果、イオン風の流れ１４に乱れが生じ、イオン風の到達距離がばらついたり、空間の遮蔽性が低下したりするなどの原因となっていた。
【００５２】
これに対して、図１２に表したイオン風の幕のように、本実施の形態によれば、イオン風の幕１５を隙間なく一体的に形成させることができるので、風速分布が均一となり、余計な渦が発生することがない。そのため、イオン風の流れ１６に乱れが生じることがなく、イオン風の到達距離が均一となり、空間の遮蔽性も向上させることができる。
【００５３】
また、イオン風の流れ１６に乱れが生じることがないので、風速の減衰を抑制することができ、イオン風の到達距離を延ばすこともできる。その結果、より大きな空間を遮蔽することができるようになる。
【００５４】
また、長手方向の長さの異なる送風装置ユニットを組み合わせることで設置環境に合わせた施工を行うことができ、施工性を向上させることもできる。また、設置場所にも限定されることがないので、天井や壁面に埋め込むようにして配設させることができる。そのため、特許文献３に開示された技術のように、人の動線が妨げられ作業性が損なわれるおそれもない。
【００５５】
次に、他の実施の形態に係る放電極、対向極の連結について説明をする。  
図１３は、他の実施の形態に係る放電極の連結について説明をするための模式分解図である。  
図１３に表したように、可撓性を有する材料からなる放電極２０の一方の端部には、略Ｖ字状に屈曲したフック部２０ｂを有する係合爪２０ａが設けられている。また、放電極２０の他方の端部には、フック部２０ｂを挿入して、これを引っ掛けるようにして係止させるための孔２０ｃが設けられている。この係合爪２０ａ、孔２０ｃが連結手段となり、連結手段が放電極と一体的に設けられていることになる。そして、孔２０ｃにフック部２０ｂを挿入して放電極２０同士を連結した際には、放電極２０の厚み方向の位置が揃い一直線となるように、フック部２０ｂが放電極２０の厚み分その厚み方向に屈曲した形状となっている。
【００５６】
本実施の形態によれば、孔２０ｃにフック部２０ｂを挿入するだけで簡単で確実な連結を行うことができる。また、連結された放電極、対向極をそれぞれ一体の電極と見なすことができる。そのため、一体的なイオン風の幕を形成させることができるので、形成されるイオン風の幕に隙間が生じることがない。
【００５７】
さらに、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００５８】
また、連結に方向性を持たせることができるので、誤った連結作業を防止することができる。その結果、施工が容易となり、また、その作業効率をも向上させることができる。
【００５９】
図１４は、他の実施の形態に係る放電極、対向極の連結について説明をするための模式分解図である。  
図１４に表したように、可撓性を有する材料からなる放電極２１の一方の端部には突起部２１ａが設けられ、他方の端面には突起部２１ａと嵌合可能な孔２１ｂが設けられている。そして、突起部２１ａを孔２１ｂに嵌合させて放電極２１同士を連結させた際には、放電極２１の端面同士が当接し、また、放電極２１の厚み方向の位置が揃い一直線となるようになっている。
【００６０】
また、可撓性を有する材料からなる対向極３０の一方の端部にも突起部３０ａが設けられ、他方の端面には突起部３０ａと嵌合可能な孔３０ｂが設けられている。この突起部２１ａと孔２１ｂ、突起部３０ａと孔３０ｂとが連結手段となり、連結手段が放電極、対向極と一体的に設けられていることになる。そして、突起部３０ａを孔３０ｂに嵌合させて対向極３０同士を連結させた際には、対向極３０の端面同士が当接し、また、対向極３０の厚み方向の位置が揃い一直線となるようになっている。
【００６１】
本実施の形態によれば、孔２１ｂ、３０ｂに突起部２１ａ、３０ａをそれぞれ挿入するだけで簡単で確実な連結を行うことができる。また、連結された放電極、対向極をそれぞれ一体の電極と見なすことができる。そのため、一体的なイオン風の幕を形成させることができるので、形成されるイオン風の幕に隙間が生じることがない。
【００６２】
さらに、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００６３】
このとき、放電極２１の連結部分と、対向極３０の連結部分と、は連結部分の形状が異なるため、誤って、放電極２１と対向極３０とが連結されるようなことがない。また、連結に方向性を持たせることができるので、誤った連結作業を防止することができる。その結果、施工が容易となり、また、その作業効率をも向上させることができる。尚、孔２１ｂ、３０ｂ、突起部２１ａ、３０ａに脱離防止のための図示しないロック機構などを設けるようにすることもできる。また、孔２１ｂ、３０ｂと突起部２１ａ、３０ａとの嵌め合い寸法は、設置環境や施工の容易さなどを考慮して適宜選択することができる。
【００６４】
図１５は、他の実施の形態に係る放電極の連結について説明をするための模式分解図である。    
図１５に表したように、可撓性を有する材料からなる放電極２２の一方の端部には突起部２２ａが設けられており、突起部２２ａはその先端部分を残して樹脂等の電気絶縁性材料からなるカバー部材２２ｃで覆われている。また、放電極２２の他方の端面には樹脂等の電気絶縁性材料からなるカバー部材２２ｄが設けられ、カバー部材２２ｄには突起部２２ａと嵌合可能な孔２２ｂが設けられている。尚、対向極にも同様の突起部、カバー部材、突起部と嵌合可能な孔を設けることもできる。
【００６５】
そして、突起部２２ａを孔２２ｂに嵌合させて放電極２２同士を連結させた際には、放電極２２の端面同士がカバー部材２２ｃ、２２ｄを介して当接し、また、放電極２２の厚み方向の位置が揃い一直線となるようになっている。尚、対向極にも同様の突起部、カバー部材、孔を設ける場合には、対向極の端面同士がカバー部材を介して当接し、また、対向極の厚み方向の位置が揃い一直線となるようになっている。この突起部２２ａ、カバー部材２２ｃが連結手段となり、連結手段が放電極と一体的に設けられていることになる。
【００６６】
本実施の形態によれば、放電極２２同士、対向極同士を連結させた場合に、それぞれの間を絶縁することができる。そのため、例えば、複数の放電極２２を連結する場合においても各放電極毎に最適な制御を行ったり、各放電極毎に小さな容量の直流電源を配設させることで送風装置ユニットの小型化を図ることができる。これは例えば、臭いの発生源であるシステムキッチン付近の風量を強くし、システムキッチンから離れた壁側の風量を弱くする、といった具合である。また、施工時やメンテナンス時に樹脂等の電気絶縁性材料からなるカバー部材２２ｃ、２２ｄを掴むことができるので、作業の安全性を確保しつつ作業性をも向上させることができる。尚、カバー部材２２ｃ、２２ｄを余り大きくしすぎるとイオン風の幕に隙間が生じるおそれがあるので、これらの寸法は必要最小限にとどめるようにすることが好ましい。
【００６７】
また、孔２２ｂに突起部２２ａをそれぞれ挿入するだけで簡単で確実な連結を行うことができる。そして、連結に方向性を持たせることができるので、誤った連結作業を防止することができる。その結果、施工が容易となり、また、その作業効率をも向上させることができる。尚、孔２２ｂ、突起部２２ａに脱離防止のための図示しないロック機構などを設けるようにすることもできる。また、孔２２ｂと突起部２２ａとの嵌め合い寸法は、設置環境や施工の容易さなどを考慮して適宜選択することができる。
【００６８】
図１６は、他の実施の形態に係る方向変換をともなう連結を説明するための模式図である。    
図１６に表したように、送風装置ユニット３４に設けられた放電極２４ｂ、対向極３４ａ、３４ｂの端部においては、略Ｌ字型の形状を呈する屈曲部が設けられている。この放電極２４ｂ、対向極３４ａ、３４ｂは、可撓性を有する材料からなる。そして、放電極２４ｂ、対向極３４ａ、３４ｂの端部に設けられた屈曲部と、送風装置ユニット３３に設けられた放電極２４ａ、対向極３３ａ、３３ｂとをそれぞれ当接させることで電気的な接続とともに略直角方向への方向変換をさせるようにしている。この場合、放電極２４ｂ、対向極３４ａ、３４ｂの端部に設けられた屈曲部における当接により連結と方向変換を行うことができるため、被接続対象（図１６の場合は送風装置ユニット３３）の任意の位置で接続と方向変換を行うことができる。そのため、図１６に表したようなＴ字型の連結を任意の位置で行うことができる。
【００６９】
また、連結された放電極、対向極をそれぞれ一体の電極と見なすことができる。そのため、一体的なイオン風の幕を形成させることができるので、形成されるイオン風の幕に隙間が生じることがない。
【００７０】
さらに、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００７１】
尚、説明の便宜上、送風装置ユニットを略直角方向に連結する場合を説明したが、本発明はこれに限定されるわけではなく、連結角度（屈曲部の角度）は遮蔽する空間の形状や設置環境などに応じて適宜変更することができる。
【００７２】
図１７は、他の実施の形態に係る放電極の連結について説明をするための模式図である。  
図１７に表した放電極のように、可撓性を有する材料からなる放電極２５ａ、２５ｂの一方の端部においては電気線材６２ａ、６２ｂが設けられている。電気線材６２ａ、６２ｂの先端部分においては、電気線材６２ａ、６２ｂ同士を接続するための電気コネクタ６２ｃ、６２ｄが設けられている。この電気コネクタ６２ｃ、６２ｄの接続によって、放電極２５ａ、２５ｂ同士が電気的に接続される。尚、対向極にも同様の電気線材および電気コネクタを設ける場合には、対向極についても対向極同士が電気的に接続されるようになっている。放電極同士および対向極同士は、その厚み方向の位置が揃い、長手方向に略一直線上になるように設置されている。
【００７３】
この場合、放電極２５ａ、２５ｂ同士に隙間があってもよい。電気線材６２ａ、６２ｂ、および電気コネクタ６２ｃ、６２ｄによって、放電極２５ａ、２５ｂ同士が電気的に接続されているため、放電極、対向極をそれぞれ一体の電極と見なすことができる。これにより、放電極同士が連結された場合よりもさらに自由度を向上させて、部屋の環境に合わせた位置で遮蔽空間を形成することが可能となる。しかし、図１２に表した一体的なイオン風の幕の効果を得るためには、放電極２５ａ、２５ｂ同士が構造的に連結されていることが好ましい。
【００７４】
本実施の形態によれば、電気線材６２ａ、６２ｂ、および電気コネクタ６２ｃ、６２ｄによって、放電極同士、および対向極同士が電気的に接続されている。また、電気的に接続された放電極、対向極をそれぞれ一体の電極と見なすことができる。そのため、自由度を向上させて、部屋の環境に合わせた位置で遮蔽空間を形成することが可能となる。さらに、電源４５ａ（図２１参照）が１台で足りることになる。送風装置全体の軽量化を図ることが可能となり、さらに施工性の向上を図ることも可能となる。また、放電極同士および対向極同士を隙間無く設置すれば、一体的なイオン風の幕を形成させることができるので、形成されるイオン風の幕に隙間が生じることがない。
【００７５】
図１８は、放電極、対向極の端面カバーについて説明をするための模式斜視図である。  図１８に表したように、連結しない側の対向極３ｂの端面には端面カバー３９が、放電極２ｂの端面には端面カバー４０がそれぞれ設けられている。端面カバー３９、４０は樹脂等の電気絶縁性材料からなり、対向極３ｂ、放電極２ｂの端面部分をそれぞれ覆うことで絶縁と端面部分のエッジなどで作業者が怪我をすることを防止する役割をはたす。
【００７６】
送風装置が設置される天井や壁面は、通常は絶縁体からなるものとされているが、金属フック、画鋲、釘などの金属がその近傍に存在する場合がある。そのため、特に壁際に設置される送風装置ユニットの対向極、放電極の端面部分に電気絶縁材料からなる端面カバーを設けるようにすれば、壁面などに金属が存在する場合であっても異常放電を防止することができる。
【００７７】
また、後述するように、遮蔽される空間の形状や設置環境に合わせて送風装置ユニットの長さを施工現場で切断するような場合には、対向極、放電極の端面部分のエッジにバリやカエリなどが残る場合がある。このような場合においても、対向極、放電極の端面部分を端面カバーで覆うことで、施工時やメンテナンス時における作業者の怪我を防止することができる。
【００７８】
次に、本発明に係る送風装置の設置例について説明する。  
図１９は、送風装置の設置例を説明するための模式平面図である。  
図１９に表したように、アイランド型のシステムキッチン４２を備えるキッチン空間４３と、これに隣接するリビング空間４４との間には送風装置５０が設けられている。送風装置５０は天井部分に埋め込まれるようにして設置され、床面に向かってイオン風を送風し、イオン風の幕を形成させることでキッチン空間４３を遮蔽することができるようになっている。
【００７９】
また、送風装置５０には、可撓性を有する材料からなる一対の対向極４７ａおよび放電極４７ｂ、対向極４７ａと放電極４７ｂとを保持案内するための案内部材４８、４９とが設けられている。
【００８０】
可撓性を有する材料からなる一対の対向極４７ａ、放電極４７ｂは、例えば、金属の薄板からなるものとすることができ、具体的には板厚が例えば０．０５ｍｍ〜０．２ｍｍ程度のステンレスなどを用いることができる。
【００８１】
案内部材４８、４９は、柱状の形態を呈し、その外周部には対向極４７ａ、放電極４７ｂを保持するための溝が設けられている。また、その断面形状や材質などは特に限定されるものではないが、例えば、その断面が円形、材質が樹脂等の電気絶縁性材料からなるものとすることができる。
【００８２】
また、施工に関しては、対向極４７ａ、放電極４７ｂを案内部材４８、４９に保持案内させることで一体的に設置することもできるし、案内部材４８、４９の部分などでそれらを連結させるようにすることもできる。尚、対向極４７ａ、放電極４７ｂをそれぞれ電気的に接続し、図示しない１台の直流電源で送風装置５０を運転させるようにすることもできる。
【００８３】
対向極４７ａ、放電極４７ｂをそれぞれ電気的に接続する場合には、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００８４】
一対の対向極４７ａおよび放電極４７ｂは可撓性を有する材料からなるため、システムキッチン４２における調理場付近だけを屈曲させて、イオン風が直接調理者に当たらないようにすることもできる。これは、イオン風が直接調理者に当たることによって感じる不快感を解消するためである。
【００８５】
本実施の形態によれば、アイランド型のシステムキッチン４２を備えるキッチン空間４３を囲むようにして送風装置５０を設けることができ、隣接するリビング空間４４を広くしたり、キッチン空間４３に露出する壁面積を減らすことで壁の汚損を抑制したりすることができる。そして、可撓性を有する材料からなる対向極４７ａ、放電極４７ｂを用いているので、送風装置の配置自由度が高くなり、部屋のレイアウトに合わせた遮蔽空間を形成することが可能となる。また、対向極４７ａ、放電極４７ｂの板厚が薄いので、施工現場における切断（寸法合わせ）が容易となり作業効率を向上させることができる。
【００８６】
また、一体的なイオン風の幕を隙間なく形成させることができる。そのため、キッチン空間４３とリビング空間４４との間の遮蔽性を高めることができ、リビング空間４４における快適性が害されることがない。また、リビング空間４４の壁面やリビング空間４４などに置かれた物品が汚損することもない。また、送風装置５０を天井部分に埋め込むようにして設置することができるので、人の動線が妨げられず、キッチン空間４３やリビング空間４４における人の動作が阻害されるようなこともない。
【００８７】
図２０は、他の実施の形態に係る送風装置の設置例を説明するための模式平面図である。  
図２０に表した設置例は、図１９に表した設置例と同様に、アイランド型のシステムキッチン４２を備えるキッチン空間４３と、これに隣接するリビング空間４４との間に送風装置５０が設けられている。送風装置５０は天井部分に埋め込まれるようにして設置され、床面に向かってイオン風を送風し、イオン風の幕を形成させることでキッチン空間４３を遮蔽することができるようになっている。また、システムキッチン４２の１つの角部付近の床面から天井にかけて、柱７０が設けられている。そのため、本設置例においては、送風装置５０は、柱７０を避けるように設置されている。
【００８８】
送風装置５０には、可撓性を有する材料からなる一対の対向極４７ａと、放電極４７ｂと、対向極４７ａと放電極４７ｂとを保持案内するための案内部材４８、４９と、が設けられている。柱７０が設けられた付近においては、案内部材４８が６個と、案内部材４９が３個と、がそれぞれ設けられ、対向極４７ａ、および放電極４７ｂは、３回だけ略直角方向に方向転換されている。
【００８９】
可撓性を有する材料からなる一対の対向極４７ａ、放電極４７ｂは、例えば、金属の薄板からなるものとすることができ、具体的には板厚が例えば０．０５ｍｍ〜０．２ｍｍ程度のステンレスなどを用いることができる。
【００９０】
案内部材４８、４９は、柱状の形態を呈し、その外周部には対向極４７ａ、放電極４７ｂを保持するための溝が設けられている。また、その断面形状や材質などは特に限定されるものではないが、例えば、その断面が円形、材質が樹脂等の電気絶縁性材料からなるものとすることができる。
【００９１】
また、施工に関しては、対向極４７ａ、放電極４７ｂを案内部材４８、４９に保持案内させることで一体的に設置することもできるし、案内部材４８、４９の部分などでそれらを連結させるようにすることもできる。尚、対向極４７ａ、放電極４７ｂをそれぞれ電気的に接続し、図示しない１台の直流電源で送風装置５０を運転させるようにすることもできる。
【００９２】
対向極４７ａ、放電極４７ｂをそれぞれ電気的に接続する場合には、直流電源との接続、接地のための接続は１箇所のみで足り、その接続箇所も送風装置の設置環境などに合わせて適宜選択することができる。つまり、電源４５ａ（図２１参照）が１台で足りることになる。そのため、送風装置全体の軽量化を図ることができ、さらに施工性の向上を図ることも可能となる。部品点数が少なくなることで、回路設計の迅速化を図ることも可能となる。電源４５ａ（図２１参照）が１台で足りるため、電源４５ａを接続するコンセントやケーブルなどの余計な工事を不要とすることも可能となる。従って、部屋の環境に合わせて自由な位置で遮蔽空間を形成することが可能となる。
【００９３】
一対の対向極４７ａおよび放電極４７ｂは可撓性を有する材料からなるため、システムキッチン４２における調理場付近だけを屈曲させて、イオン風が直接調理者に当たらないようにすることもできる。これは、イオン風が直接調理者に当たることによって感じる不快感を解消するためである。
【００９４】
本実施の形態によれば、柱７０付近だけの対向極４７ａ、および放電極４７ｂを屈曲させて、柱７０を避けて送風装置５０を設けることができ、隣接するリビング空間４４を広くしたり、キッチン空間４３に露出する壁面積を減らすことで壁および柱の汚損を抑制したりすることができる。そして、可撓性を有する材料からなる対向極４７ａ、放電極４７ｂを用いているので、送風装置の配置自由度が高くなり、部屋のレイアウトに合わせた遮蔽空間を形成することが可能となる。また、対向極４７ａ、放電極４７ｂの板厚が薄いので、施工現場における切断（寸法合わせ）が容易となり作業効率を向上させることができる。
【００９５】
また、一体的なイオン風の幕を隙間なく形成させることができる。そのため、キッチン空間４３とリビング空間４４との間の遮蔽性を高めることができ、リビング空間４４における快適性が害されることがない。また、リビング空間４４の壁面やリビング空間４４などに置かれた物品が汚損することもない。また、送風装置５０を天井部分に埋め込むようにして設置することができるので、人の動線が妨げられず、キッチン空間４３やリビング空間４４における人の動作が阻害されるようなこともない。
【００９６】
図２１は、さらに他の実施の形態に係る送風装置の設置例を説明するための模式平面図である。    
図２１に表したように、ペニンシュラ型のシステムキッチン４６を備えるキッチン空間４３と、これに隣接するリビング空間４４との間には送風装置４５が設けられている。送風装置４５は天井部分に埋め込まれるようにして設置され、床面に向かってイオン風を送風し、イオン風の幕を形成させることでキッチン空間４３を遮蔽することができるようになっている。
【００９７】
また、送風装置４５には、４つの送風装置ユニットが設けられており、これらを連結することで一体的なイオン風の幕を形成させることができるようになっている。送風装置４５には、図１に表した送風装置において説明をしたような、略直角方向に方向変換する支持手段６０ａ、６０ｂ、６０ｃが設けられている。ここで、図２１に表した設置例においては、説明の便宜上、放電極の方向を変換する支持手段６０ｃは省略している。また、設置がされる部屋の寸法に合わせて、図中の上側の送風装置ユニットの長手方向寸法が短いものとされている。また、対向極、放電極をそれぞれ電気的に接続し、１台の直流電源４５ａで送風装置４５を運転するようになっている。
【００９８】
対向極、放電極をそれぞれ電気的に接続する場合には、直流電源との接続、接地のための接続は１箇所のみで足り、その接続箇所も送風装置の設置環境などに合わせて適宜選択することができる。つまり、電源４５ａが１台で足りることになる。そのため、送風装置全体の軽量化を図ることができ、さらに施工性の向上を図ることも可能となる。部品点数が少なくなることで、回路設計の迅速化を図ることも可能となる。電源４５ａが１台で足りるため、電源４５ａを接続するコンセントやケーブルなどの余計な工事を不要とすることも可能となる。従って、部屋の環境に合わせて自由な位置で遮蔽空間を形成することが可能となる。
【００９９】
対向極および放電極は、可撓性を有する材料からなるため、システムキッチン４６における調理場付近だけを屈曲させて、イオン風が直接調理者に当たらないようにすることもできる。これは、イオン風が直接調理者に当たることによって感じる不快感を解消するためである。
【０１００】
本実施の形態によれば、ペニンシュラ型のシステムキッチン４６を備えるキッチン空間４３を囲むようにして送風装置４５を設けることができ、隣接するリビング空間４４を広くしたり、キッチン空間４３に露出する壁面積を減らすことで壁の汚損を抑制したりすることができる。そして、可撓性を有する材料からなる対向極および放電極を用いているので、送風装置の配置自由度が高くなり、部屋のレイアウトに合わせた遮蔽空間を形成することが可能となる。また、対向極および放電極の板厚が薄いので、施工現場における切断（寸法合わせ）が容易となり作業効率を向上させることができる。
【０１０１】
本実施の形態においても、一体的なイオン風の幕を隙間なく形成させることができる。そのため、キッチン空間４３とリビング空間４４との間の遮蔽性を高めることができ、リビング空間４４における快適性が害されることがない。また、リビング空間４４の壁面やリビング空間４４などに置かれた物品が汚損することもない。また、送風装置４５を天井部分に埋め込むようにして設置することができるので、人の動線が妨げられず、キッチン空間４３やリビング空間４４における人の動作が阻害されるようなこともない。
【０１０２】
図２２は、さらに他の実施の形態に係る送風装置の設置例を説明するための模式平面図である。  
図２２に表した設置例は、図２１に表した設置例と同様に、ペニンシュラ型のシステムキッチン４６を備えるキッチン空間４３と、これに隣接するリビング空間４４との間には送風装置４５が設けられている。送風装置４５は天井部分に埋め込まれるようにして設置され、床面に向かってイオン風を送風し、イオン風の幕を形成させることでキッチン空間４３を遮蔽することができるようになっている。また、システムキッチン４６の１つの角部付近の床面から天井にかけて、柱７０が設けられている。そのため、本設置例においては、送風装置４５は、柱７０を避けるように設置されている。
【０１０３】
また、送風装置４５には、４つの送風装置ユニットが設けられており、これらを連結することで一体的なイオン風の幕を形成させることができるようになっている。送風装置４５には、図１に表した送風装置において説明をしたような、略直角方向に方向変換する支持手段６０ａ、６０ｂ、６０ｃが、柱７０付近においてそれぞれ３個ずつ設けられている。ここで、図２２に表した設置例においては、説明の便宜上、放電極の方向を変換する支持手段６０ｃは省略している。この支持手段６０ａ、６０ｂ、６０ｃによって、対向極および放電極は、柱７０付近において、３回だけ略直角方向に方向転換されている。また、設置がされる部屋の寸法に合わせて、図中の上側の送風装置ユニットの長手方向寸法が短いものとされている。また、対向極、放電極をそれぞれ電気的に接続し、１台の直流電源４５ａで送風装置４５を運転するようになっている。
【０１０４】
対向極、放電極をそれぞれ電気的に接続する場合には、直流電源との接続、設置のための接続は１箇所のみで足り、その接続箇所も送風装置の設置環境などに合わせて適宜選択することができる。つまり、電源４５ａが１台で足りることになる。そのため、送風装置全体の軽量化を図ることができ、さらに施工性の向上を図ることも可能となる。部品点数が少なくなることで、回路設計の迅速化を図ることも可能となる。電源４５ａが１台で足りるため、電源４５ａそ接続するコンセントやケーブルなどの余計な工事を不要とすることも可能となる。従って、部屋の環境に合わせて自由な位置で遮蔽空間を形成することが可能となる。
【０１０５】
対向極および放電極は、可撓性を有する材料からなるため、システムキッチン４６における調理場付近だけを屈曲させて、イオン風が直接調理者に当たらないようにすることもできる。これは、イオン風が直接調理者に当たることによって感じる不快感を解消するためである。
【０１０６】
本実施の形態によれば、柱７０付近だけの対向極および放電極を屈曲させて、柱７０を避けて送風装置５０を設けることができ、隣接するリビング空間４４を広くしたり、キッチン空間４３に露出する壁面積を減らすことで壁および柱の汚損を抑制したりすることができる。そして、可撓性を有する材料からなる対向極および放電極を用いているので、送風装置の配置自由度が高くなり、部屋のレイアウトに合わせた遮蔽空間を形成することが可能となる。また、対向極および放電極の板厚が薄いので、施工現場における切断（寸法合わせ）が容易となり作業効率を向上させることができる。
【０１０７】
本実施の形態においても、一体的なイオン風の幕を隙間なく形成させることができる。そのため、キッチン空間４３とリビング空間４４との間の遮蔽性を高めることができ、リビング空間４４における快適性が害されることがない。また、リビング空間４４の壁面やリビング空間４４などに置かれた物品が汚損することもない。また、送風装置４５を天井部分に埋め込むようにして設置することができるので、人の動線が妨げられず、キッチン空間４３やリビング空間４４における人の動作が阻害されるようなこともない。
【０１０８】
図２３は、さらに他の実施の形態に係る送風装置の設置例を説明するための模式斜視図である。  
また、図２４は、さらに他の実施の形態に係る送風装置の設置例を説明するための模式平面図である。
【０１０９】
図２３、図２４に表したように、アイランド型のシステムキッチン４２を備えるキッチン空間４３と、これに隣接するリビング空間４４との間には送風装置４１が設けられている。送風装置４１は天井部分に埋め込まれるようにして設置され、床面に向かってイオン風を送風し、イオン風の幕を形成させることでキッチン空間４３を遮蔽することができるようになっている。
【０１１０】
また、送風装置４１には、３つの送風装置ユニットが設けられており、これらを連結することで一体的なイオン風の幕を形成させることができるようになっている。そして、可撓性を有する材料からなる対向極および放電極を用いているので、送風装置の配置自由度が高くなり、部屋のレイアウトに合わせた遮蔽空間を形成することが可能となる。また、対向極および放電極の板厚が薄いので、施工現場における切断（寸法合わせ）が容易となり作業効率を向上させることができる。そこで、図２４に表した送風装置４１においては、設置がされる部屋の寸法に合わせて、図中の左側の送風装置ユニットの長手方向寸法が短いものとされている。また、対向極、放電極をそれぞれ電気的に接続し、１台の直流電源４１ａで送風装置４１を運転するようになっている。
【０１１１】
対向極、放電極をそれぞれ電気的に接続する場合には、直流電源との接続、接地のための接続は１箇所のみで足り、その接続箇所も送風装置の設置環境などに合わせて適宜選択することができる。つまり、電源４１ａが１台で足りることになる。そのため、送風装置全体の軽量化を図ることができ、さらに施工性の向上を図ることも可能となる。部品点数が少なくなることで、回路設計の迅速化を図ることも可能となる。電源４１ａが１台で足りるため、電源４１ａを接続するコンセントやケーブルなどの余計な工事を不要とすることも可能となる。従って、部屋の環境に合わせて自由な位置で遮蔽空間を形成することが可能となる。
【０１１２】
対向極および放電極は、可撓性を有する材料からなるため、システムキッチン４２における調理場付近だけを屈曲させて、イオン風が直接調理者に当たらないようにすることもできる。これは、イオン風が直接調理者に当たることによって感じる不快感を解消するためである。
【０１１３】
本実施の形態によれば、可撓性を有する材料からなる対向極および放電極を用いているので、送風装置の配置自由度が高くなり、部屋のレイアウトに合わせた遮蔽空間を形成することが可能となる。また、対向極および放電極の板厚が薄いので、施工現場における切断（寸法合わせ）が容易となり作業効率を向上させることができる。そのため、キッチン空間４３とリビング空間４４との間の遮蔽性を高めることができ、リビング空間４４における快適性が害されることがない。また、リビング空間４４の壁面やリビング空間４４などに置かれた物品が汚損することもない。また、送風装置４１を天井部分に埋め込むようにして設置することができるので、人の動線が妨げられず、キッチン空間４３やリビング空間４４における人の動作が阻害されるようなこともない。
【０１１４】
図２５は、送風装置の設置例を説明するための模式断面図である。  
尚、図中の矢印は空気の流れを表している。
【０１１５】
前述したように、送風装置を天井部分に埋め込むようにして設置することができるが、その場合、天井裏の臭いや埃などが一緒に送風されてしまうおそれがある。  
本実施の形態においては、天井裏空間５６内に管路５１を設け、管路５１の一端を天井壁面５５に開口させ、開口部５１ａの近傍の管路５１内に一対の対向極５２と放電極５３とを設けるようにしている。そして、管路５１の他端をリビング空間や屋外などの清浄な空気が存在する空間に開口させるものとしている。    
そのため、清浄な空気をイオン風として送風させることができ、天井裏の臭いや埃などが一緒に送風されてしまうことを防止することができる。
【０１１６】
また、管路５１内にファンなどの送風手段５４を設けて、清浄な空気を供給するようにすれば管路５１による圧損が大きい場合であっても、充分なイオン風を送風させることができる。
【０１１７】
以上、本発明の実施の形態について説明をした。しかし、本発明はこれらの記述に限定されるものではない。前述の実施の形態に関して、当業者が適宜設計変更を加えたものも、本発明の特徴を備えている限り、本発明の範囲に包含される。例えば、送風装置１、送風装置１１、送風装置４１、送風装置４５、送風装置５０などが備える各要素の形状、寸法、材質、配置などや送風装置の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【０１１８】
【図１】本発明の実施の形態に係る送風装置を説明するための模式図である。
【図２】放電極を屈曲させた時の屈曲部付近の拡大図である。
【図３】イオン風の発生原理を説明するための模式斜視図である。
【図４】他の実施の形態に係る送風装置を説明するための模式図である。
【図５】他の実施の形態に係る送風装置を説明するための模式図である。
【図６】支持手段の角度調整部を説明するための模式断面図である。
【図７】送風装置ユニットの連結を説明するための模式図である。
【図８】送風装置ユニットを上方から見たときの模式平面図である。
【図９】送風装置ユニットの連結を説明するための模式分解図である。
【図１０】連結時の放電極の端部付近を説明するための模式斜視図である。
【図１１】イオン風の幕に隙間が存在する場合を説明するための模式図である。
【図１２】一体的なイオン風の幕が形成される場合を説明するための模式図である。
【図１３】他の実施の形態に係る放電極の連結について説明をするための模式分解図である。
【図１４】他の実施の形態に係る放電極、対向極の連結について説明をするための模式分解図である。
【図１５】他の実施の形態に係る放電極の連結について説明をするための模式分解図である。
【図１６】他の実施の形態に係る方向変換をともなう連結を説明するための模式図である。
【図１７】他の実施の形態に係る放電極の連結について説明をするための模式図である。
【図１８】放電極、対向極の端面カバーについて説明をするための模式斜視図である。
【図１９】送風装置の設置例を説明するための模式平面図である。
【図２０】他の実施の形態に係る送風装置の設置例を説明するための模式平面図である。
【図２１】さらに他の実施の形態に係る送風装置の設置例を説明するための模式平面図である。
【図２２】さらに他の実施の形態に係る送風装置の設置例を説明するための模式平面図である。
【図２３】さらに他の実施の形態に係る送風装置の設置例を説明するための模式斜視図である。
【図２４】さらに他の実施の形態に係る送風装置の設置例を説明するための模式平面図である。
【図２５】送風装置の設置例を説明するための模式断面図である。
【符号の説明】
【０１１９】
１  送風装置、１ａ〜１ｄ  送風装置ユニット、２ａ〜２ｄ  放電極、３ａ〜３ｄ  対向極、４ａ〜４ｃ  カバー部材、５ａ  固定部材、５ｂ  固定部材、６  弾性部材、７  ボルト、８  ナット、９ａ、９ｂ  連結部材、１０  直流電源、１１  送風装置、１２  屈曲面、１３  イオン風の幕、１３ａ  隙間、１３ｂ  渦、１４  イオン風の流れ、１５  イオン風の幕、１６  イオン風の流れ、２０  放電極、２０ａ  係合爪、２０ｂ  フック部、２０ｃ  孔、２１  放電極、２１ａ  突起部、２１ｂ  孔、２２  放電極、２２ａ  突起部、２２ｂ  孔、２２ｃ  カバー部材、２２ｄ  カバー部材、２３ａ  放電極、２３ｂ  放電極、２４ａ  放電極、２４ｂ  放電極、２５ａ、２５ｂ  放電極、３０  対向極、３０ａ  突起部、３０ｂ  孔、３１  送風装置ユニット、３１ａ  対向極、３１ｂ  対向極、３３  送風装置ユニット、３３ａ  対向極、３３ｂ  対向極、３４  送風装置ユニット、３４ａ  対向極、３４ｂ  対向極、３５ａ〜３５ｃ  支持手段、３６ａ〜３６ｃ  孔、３７  角度調整部材、３８ａ  連結部材、３８ｂ  連結部材、３９  端面カバー、４０  端面カバー、４１  送風装置、４１ａ  直流電源（電源）、４２  システムキッチン、４３  キッチン空間、４４  リビング空間、４５  送風装置、４５ａ  直流電源（電源）、４６  システムキッチン、４７ａ  対向極、４７ｂ  放電極、４８  案内部材、４９  案内部材、５０  送風装置、５１  管路、５１ａ  開口部、５２  対向極、５３  放電極、５４  送風手段、５５  天井壁面、５６  天井裏空間、６０ａ  支持手段、６０ｂ  支持手段、６０ｃ  支持手段、６２ａ、６２ｂ  電気線材、６２ｃ、６２ｄ  電気コネクタ、６３ｃ  溝、７０  柱
【図１】
2009074766.tif 000003
【図２】
2009074766.tif 000004
【図３】
2009074766.tif 000005
【図４】
2009074766.tif 000006
【図５】
2009074766.tif 000007
【図６】
2009074766.tif 000008
【図７】
2009074766.tif 000009
【図８】
2009074766.tif 000010
【図９】
2009074766.tif 000011
【図１０】
2009074766.tif 000012
【図１１】
2009074766.tif 000013
【図１２】
2009074766.tif 000014
【図１３】
2009074766.tif 000015
【図１４】
2009074766.tif 000016
【図１５】
2009074766.tif 000017
【図１６】
2009074766.tif 000018
【図１７】
2009074766.tif 000019
【図１８】
2009074766.tif 000020
【図１９】
2009074766.tif 000021
【図２０】
2009074766.tif 000022
【図２１】
2009074766.tif 000023
【図２２】
2009074766.tif 000024
【図２３】
2009074766.tif 000025
【図２４】
2009074766.tif 000026
【図２５】
2009074766.tif 000027